(57)【要約】【課題】  容器に貯蔵された液体が容器と結合された配管内へ流出して移動する流量を計測する方法であって、流体が脈動をなして移動するため、通常の方法では正確な計測が困難である系においても正確な流量を測定できるという優れた効果を有する液体の流量の計測方法、及び、該計測方法により得られた流量をプランジャーポンプの出力へフィードバックさせ、ポンプのストローク（出力）を自動又は手動調整することにより液体の流量を調整・管理する液体の移送方法を提供する。【解決手段】  容器内の液体量の減少速度から該流量を求める液体の流量の計測方法。該計測方法により得られた流量をプランジャーポンプの出力へフィードバックさせ、ポンプのストローク（出力）を自動又は手動調整することにより液体の流量を調整・管理する液体の移送方法。【選択図】  図１
2006030107.tif 000002
【特許請求の範囲】
【請求項１】
容器に貯蔵された液体が容器と結合された配管内へ流出して移動する流量を計測する方法であって、容器内の液体量の減少速度から該流量を求める液体の流量の計測方法。
【請求項２】
容器に設置された液体レベル計により容器内の液体の体積量の減少速度を用いる請求項１記載の計測方法。
【請求項３】
容器に設置されたロードセルにより容器内の液体の重量の減少速度を用いる請求項１記載の計測方法。
【請求項４】
液体の移動がプランジャーポンプにより行われる請求項１〜請求項３のうちの一の請求項に記載の計測方法。
【請求項５】
請求項１〜請求項３のうちの一の請求項に記載の方法により得られた流量をプランジャーポンプの出力へフィードバックさせ、ポンプのストローク（出力）を自動又は手動調整することにより液体の流量を調整・管理する液体の移送方法。
【発明の詳細な説明】
【技術分野】
【０００１】
本発明は、液体の流量の計測方法及び液体の移送方法に関するものである。更に詳しくは、本発明は、容器に貯蔵された液体が容器と結合された配管内へ流出して移動する流量を計測する方法であって、流体が脈動をなして移動するため、通常の方法では正確な計測が困難である系においても正確な流量を測定できるという優れた効果を有する液体の流量の計測方法、及び、該計測方法により得られた流量をプランジャーポンプの出力へフィードバックさせ、ポンプのストローク（出力）を自動又は手動調整することにより液体の流量を調整・管理する液体の移送方法に関するものである。
【背景技術】
【０００２】
容器に貯蔵された液体が容器と結合された配管内へ流出して移動する流量の計測方法としては、配管の途中に設けられたオリフィス等の流量計によるのが一般である（たとえば、非特許文献１参照。）。
【０００３】
しかしながら、流体が脈動をなして移動する場合、従来の方法では正確な計測が困難であるという問題があった。
【０００４】
【非特許文献１】「計装システムの基礎と応用」（第１版）（株）オーム社発行  第８５〜９２頁
【発明の開示】
【発明が解決しようとする課題】
【０００５】
かかる状況において、本発明が解決しようとする課題は、容器に貯蔵された液体が容器と結合された配管内へ流出して移動する流量を計測する方法であって、流体が脈動をなして移動するため、通常の方法では正確な計測が困難である系においても正確な流量を測定できるという優れた効果を有する液体の流量の計測方法、及び、該計測方法により得られた流量をプランジャーポンプの出力へフィードバックさせ、ポンプのストローク（出力）を自動又は手動調整することにより液体の流量を調整・管理する液体の移送方法を提供する点にある。
【課題を解決するための手段】
【０００６】
すなわち、本発明のうち一の発明は、容器に貯蔵された液体が容器と結合された配管内へ流出して移動する流量を計測する方法であって、容器内の液体量の減少速度から該流量を求める液体の流量の計測方法に係るものである。
【０００７】
また、本発明のうち他の発明は、上記の計測方法により得られた流量をプランジャーポンプの出力へフィードバックさせ、ポンプのストローク（出力）を自動又は手動調整することにより液体の流量を調整・管理する液体の移送方法に係るものである。
【発明の効果】
【０００８】
本発明により、容器に貯蔵された液体が容器と結合された配管内へ流出して移動する流量を計測する方法であって、流体が脈動をなして移動するため、通常の方法では正確な計測が困難である系においても正確な流量を測定できるという優れた効果を有する液体の流量の計測方法、及び、該計測方法により得られた流量をプランジャーポンプの出力へフィードバックさせ、ポンプのストローク（出力）を自動又は手動調整することにより液体の流量を調整・管理する液体の移送方法を提供することができる。
【発明を実施するための最良の形態】
【０００９】
本発明は、容器に貯蔵された液体が容器と結合された配管内へ流出して移動する流量を計測する方法である。
【００１０】
容器としては、ドラム、タンク、貯槽、ホッパー、検量管等をあげることができる。
【００１１】
液体としては、水、石油類、炭化水素系溶媒、アルコール類、各種溶液、各種固体懸濁液等をあげることができる。
【００１２】
本発明では、容器内の液体量の減少速度から該流量を求める。
【００１３】
本発明の具体例として、容器に設置された液体レベル計により容器内の液体の体積量の減少速度を用いる方法をあげることができる。
【００１４】
また、本発明の他の具体例として、容器に設置されたロードセルにより容器内の液体の重量の減少速度を用いる方法をあげることができる。なお、ロードセルとは、負荷される重量又は力に応じた信号を出力する過重変換器を使用して重さを検出する装置である。
【００１５】
本発明によると、流体が脈動をなして移動するため、通常の方法では正確な計測が困難である系においても正確な流量を測定できる。という優れた効果を有する液体の流量の計測方法を提供することができる。流体が脈動をなして移動する場合の代表例として、液体の移動がプランジャーポンプにより行われる場合をあげることができる。
【００１６】
本発明の液体の移送方法は、上記の本発明の計測方法により得られた流量をプランジャーポンプの出力へフィードバックさせ、ポンプのストローク（出力）を自動又は手動調整することにより液体の流量を調整・管理する液体の移送方法である。上記のうち、自動調整を採用することにより、省力化の下、正確な移送を実現することができる。その具体的方法の例をあげると次のとおりである。
【００１７】
液体を貯蔵した容器に設置された液面計又はロードセルにより容器内の液体量を定期的（たとえば、数秒〜数分間隔）に自動計測する。その測定値と計測時間から単位時間当たりの液体の減少量を自動計算する。得られた計算値と所望の流量値（設定値）とを比較し、プランジャーポンプの出力の調整量を自動演算し、演算結果をプランジャーポンプの駆動力に入力して流量を制御する。これらの一連の操作は、コンピュータシステムにより自動化する。
【実施例】
【００１８】
次に本発明を実施例により説明する。
実施例１
容器である円筒縦型ドラム（容量５．０ｍ3）内のｎ−ヘプタンを、ドラムに接続された配管（内径２５ｍｍ）を通して移動させた（図１参照。）。ｎ−ヘプタンの移動はプランジャーポンプにより行った。ドラムにはダイアフラム式（隔膜式）の液面計が設置されており、プロセス制御用コンピューターにより常時監視されている。該コンピューター内に１０秒おきに液面計の降下量から、流量を計算するプログラムを設けた。該計算流量が設定（目標）流量に合致するようにプランジャーポンプの出力を自動制御した。２時間にわたって該自動制御運転を行った。その間の設定（目標）流量は０．２５ｍ3／Ｈｒであった。その間のドラム内のｎ−ヘプタンの減少量を液面計の値から求めた結果０．５０ｍ3であった。よって、流量は（０．５０／２＝）０．２５ｍ3／ｈｒであり、設定（目標）流量によく合致していた。
【図面の簡単な説明】
【００１９】
【図１】実施例１で用いたシステムを示す概略図である。
【符号の説明】
【００２０】
１  ドラム（容器）
２  液面計
３  水（液体）
４  配管
５  プランジャーポンプ
【図１】
2006030107.tif 000003